(57)【要約】【課題】小型でありながら全ズーム領域にわたり高い光学性能が得られるズームレンズ系を提供する。【解決手段】物体側より像側へ順に、像面に対して不動の正の第１レンズ群と、負の第２レンズ群と、像面に対して不動の正の第３レンズ群と、負の第４レンズ群と、像面に対して不動の正の第５レンズ群とを備え、第３レンズ群は正のパワーのレンズ素子を含む第１サブレンズ群と、正のパワーのレンズ素子と負のパワーのレンズ素子の接合レンズを含む第２サブレンズ群と、正のパワーのレンズ素子を含む第３サブレンズ群とからなり、第４レンズ群はフォーカシング時に移動し、条件（１）及び（２）：０．０５＜（Ｄ３Ｐ＋Ｄ５Ｐ）／Ｄ５Ｎ＜７．４１・・・（１）、７２．８＜Ｖ１Ｐ＜９６．１・・・（２）を満足する、ズームレンズ系。【選択図】図１
2017134304.tif 000002
【特許請求の範囲】
【請求項１】
少なくとも１枚のレンズ素子からなるレンズ群を複数有し、
物体側より像側へ順に、
１枚の負のパワーのレンズ素子と２枚の正のパワーのレンズ素子を含み、正のパワーを有し、ズーミングに際して像面に対して不動の第１レンズ群と、
２枚の負のパワーのレンズ素子と１枚の正のパワーのレンズ素子を含み、負のパワーを有する第２レンズ群と、
正のパワーを有し、ズーミングに際して像面に対して不動の第３レンズ群と、
１枚の正のパワーのレンズ素子と１枚の負のパワーのレンズ素子を含み、負のパワーを有する第４レンズ群と、
２枚の正のパワーのレンズ素子と１枚の負のパワーのレンズ素子を含み、正のパワーを有し、ズーミングに際して像面に対して不動の第５レンズ群と、を備え、
前記第３レンズ群は、物体側から像側へ順に、正のパワーのレンズ素子を含む第１サブレンズ群と、正のパワーのレンズ素子と負のパワーのレンズ素子の接合レンズを含む第２サブレンズ群と、正のパワーのレンズ素子を含む第３サブレンズ群とからなり、
前記第４レンズ群は、無限遠合焦状態から近接物体合焦状態へのフォーカシングの際に光軸に沿って移動し、
以下の条件（１）及び（２）を満足する、ズームレンズ系：
０．０５  ＜  （Ｄ３Ｐ＋Ｄ５Ｐ）／  Ｄ５Ｎ  ＜  ７．４１  ・・・（１）
７２．８  ＜  Ｖ１Ｐ  ＜  ９６．１  ・・・（２）
ここで、
Ｄ３Ｐ：第３レンズ群において、最も物体側に位置する正のパワーのレンズ素子と該正のパワーのレンズ素子の像側に位置する正のパワーのレンズ素子との最小軸上間隔
Ｄ５Ｐ：第５レンズ群において、最も物体側に位置する正のパワーのレンズ素子と該正のパワーのレンズ素子の像側に位置する正のパワーのレンズ素子との間隔の最小軸上間隔
Ｄ５Ｎ：第５レンズ群の負パワーのレンズ素子の最大軸上厚
Ｖ１Ｐ：第１レンズ群の正パワーのレンズ素子の内、最大のアッベ数
である。
【請求項２】
以下の条件（３）を満足する、請求項１に記載のズームレンズ系：
−０．６６＜ｆ３／ｆ３Ｂ＜０．１８  ・・・（３）
ここで、
ｆ３：第３レンズ群の焦点距離
ｆ３Ｂ：第２サブレンズ群の焦点距離
である。
【請求項３】
前記第３サブレンズ群は、物体側から像側へと順に、正パワーのレンズ素子を有する正のパワーの前側第３サブレンズ群と、１枚の正レンズ素子を有する正のパワーの後側第３サブレンズ群からなり、
以下の条件（４）を満足する、請求項１または２に記載のズームレンズ系：
−０.３３＜ｆ３／ｆ３ＢＣ１＜０．３３  ・・・（４）
ここで、
ｆ３ＢＣ１：第２サブレンズ群と前側第３サブレンズ群の合成焦点距離
である。
【請求項４】
前記前側第３サブレンズ群を光軸と垂直方向に移動させてブレ補正を行う、
請求項３に記載のズームレンズ系。
【請求項５】
前記第５レンズ群の最も物体側のレンズ面は、物体側に凹面を有する、
請求項１から４のいずれかに記載のズームレンズ系。
【請求項６】
前記第５レンズ群は、物体側から像側へと順に１枚の負のパワーのレンズ素子、正のパワーのレンズ素子、正のパワーのレンズ素子を有する、
請求項１から５のいずれかに記載のズームレンズ系。
【請求項７】
前記第５レンズ群は、像側から物体側へと順に負のパワーのレンズ素子、正のパワーのレンズ素子、正のパワーのレンズ素子の配置を有する、
請求項１から６のいずれかに記載のズームレンズ系。
【請求項８】
請求項１から７のいずれか１つのズームレンズ系と、前記ズームレンズ系が形成する光学像を受光して電気的な画像信号に変換する撮像素子を含むカメラ本体との雪像区が可能なレンズマウントとを備える、交換レンズ装置。
【請求項９】
請求項８に記載の交換レンズ装置と、
前記交換レンズ装置とカメラマウント部を介して着脱可能に接続され、前記ズームレンズ系が形成する光学像を受光して、電気的な画像信号に変換する撮像素子を含むカメラ本体と、を備える、カメラシステム。
【発明の詳細な説明】
【技術分野】
【０００１】
本開示はスチルカメラやビデオカメラ等に好適なズームレンズ系及び該ズームレンズ系を有する撮像装置に関するものである。
【背景技術】
【０００２】
一般にズームレンズ系において、各レンズ群のパワーを強めれば所定のズーム比を得るための各レンズ群の移動量が少なくなる。そのため、所定のズーム比を確保しつつ、レンズ全長の短縮化を図るのが容易となる。しかしながら、単に各レンズ群のパワーを強め、レンズ群の移動量を少なくしようとすると、ズーミングに伴う収差変動が大きくなり、全ズーム範囲にわたり良好な光学性能を得るのが難しくなる。
【０００３】
スチルカメラやビデオカメラ等の撮像装置に用いる撮像光学系には、高ズーム比で全ズーム領域において高い光学性能を有したズームレンズが要求されている。
【０００４】
特許文献１は、物体側より像側へ順に、正のパワーの第１レンズ群、負のパワーの第２レンズ群、正のパワーの第３レンズ群、負のパワーの第４レンズ群、正のパワーの第５レンズ群より成る５群ズームレンズが開示されている。
【先行技術文献】
【特許文献】
【０００５】
【特許文献１】特開平８−００５９１３号公報
【発明の概要】
【発明が解決しようとする課題】
【０００６】
本開示は、小型でありながら全ズーム領域にわたり高い光学性能が得られるズームレンズ及びそれを有する交換レンズ装置、撮像装置の提供を目的とする。
【課題を解決するための手段】
【０００７】
本開示のズームレンズ系は、少なくとも１枚のレンズ素子からなるレンズ群を複数有し、物体側から像側へと順に、１枚の負のパワーのレンズ素子と２枚の正のパワーのレンズ素子を含み、正のパワーを有しズーミングに際して像面に対して不動の第１レンズ群と、２枚の負のパワーのレンズ素子と１枚の正のパワーのレンズ素子を含み、負のパワーを有する第２レンズ群と、正のパワーを有し、ズーミングに際して像面に対して不動の第３レンズ群と、１枚の正のパワーのレンズ素子と１枚の負のパワーのレンズ素子を含み、負のパワーの第４レンズ群と、２枚の正のパワーのレンズ素子と１枚の負のパワーのレンズ素子を含み、正のパワーを有し、ズーミングに際して像面に対して不動の第５レンズ群を備え、第３レンズ群は、物体側から像側へ順に、正のパワーのレンズ素子を含む第１サブレンズ群と、正のパワーのレンズ素子と負のパワーのレンズ素子の接合レンズを含む第２サブレンズ群と、正のパワーのレンズ素子を含む第３サブレンズ群とからなり、第４レンズ群は、無限遠合焦状態から近接物体合焦状態へのフォーカシングの際に光軸に沿って移動し、以下の条件（１）および（２）を満足することを特徴としている。
【０００８】
０．０５＜（Ｄ３Ｐ＋Ｄ５Ｐ）／Ｄ５Ｎ＜７．４１  ・・・（１）
７２．８＜Ｖ１Ｐ＜９６．１  ・・・（１）
ここで、
Ｄ３Ｐ：第３レンズ群において、最も物体側に位置する正パワーのレンズ素子と該正パワーのレンズ素子の像側に位置する正パワーのレンズ素子との最小軸上間隔
Ｄ５Ｐ：第５レンズ群において、最も物体側に位置する正パワーのレンズ素子と該正レンズ素子の像側に位置する正パワーのレンズ素子との間隔の最小軸上間隔
Ｄ５Ｎ：第５レンズ群中の負レンズ素子の最大軸上厚
Ｖ１Ｐ：該第１レンズ群の正レンズ素子材料の最大アッベ数
である。
【発明の効果】
【０００９】
本開示では、全ズーム範囲にわたり良好なる光学性能が得られるズームレンズ及びそれを有する撮像装置が得られる。
【図面の簡単な説明】
【００１０】
【図１】本開示のズームレンズ系の実施の形態１に係るレンズ配置図
【図２】数値実施例１のズームレンズの無限遠合焦状態での縦収差図
【図３】数値実施例１の像ぶれ補正を行っていない基本状態及び像ぶれ補正状態での横収差図
【図４】本開示のズームレンズ系の実施の形態２に係るレンズ配置図
【図５】数値実施例２のズームレンズの無限遠合焦状態での縦収差図
【図６】数値実施例２の像ぶれ補正を行っていない基本状態及び像ぶれ補正状態での横収差図
【図７】本開示のズームレンズ系の実施の形態３に係るレンズ配置図
【図８】数値実施例３のズームレンズの無限遠合焦状態での縦収差図
【図９】数値実施例３の像ぶれ補正を行っていない基本状態及び像ぶれ補正状態での横収差図
【図１０】実施の形態４に係る撮像装置の概略図
【発明を実施するための形態】
【００１１】
図１、４、７は、それぞれ、実施の形態１、２、３に係るズームレンズのレンズ配置図であり、いずれも無限遠合焦状態にあるズームレンズのレンズ配置を表している。
（実施の形態１）
第１レンズ群Ｇ１は、物体側から像側へと順に、物体側に凸面を向けた負のパワーの第１レンズ素子と、正のパワーの第２レンズ素子と、物体側に凸面を向けた負メニスカス形状の第３レンズ素子と、正のパワーの第４レンズ素子と、物体側に凸面を向けた正メニスカス形状の第５レンズ素子とからなる。第１レンズ素子と第２レンズ素子、第３レンズ素子と第４レンズ素子は、それぞれ接合されている。
【００１２】
第２レンズ群Ｇ２は、物体側から像側へと順に、負のパワーの第６レンズ素子と、両凹形状の負のパワーの第７レンズ素子と、両凸形状の正のパワーの第８レンズ素子と、正のパワーの第９レンズ素子とからなる。第６レンズ素子の物体側および第９レンズ素子の像側の面がそれぞれ非球面形状である。また、第７レンズ素子と第８レンズ素子は接合されている。
【００１３】
第３レンズ群Ｇ３は、物体側から像側へと順に、最も物体側にある接合レンズを境に、第１サブレンズ群Ｇ３Ａと、負のパワーの第２サブレンズ群Ｇ３Ｂと、正のパワーの第３サブレンズ群Ｇ３Ｃとからなる。第１サブレンズ群Ｇ３Ａは、両凸形状の正のパワーの第１０レンズ素子からなる。第２サブレンズ群Ｇ３Ｂは、両凸形状の正のパワーの第１１レンズ素子と両凹形状の負のパワーの第１２レンズ素子との接合レンズからなる。第３サブレンズ群Ｇ３Ｃは、物体側から像側へと順に、最大空気間隔を境に、正パワーの前側第３サブレンズ群Ｇ３Ｃ１と、後側第３サブレンズ群Ｇ３Ｃ２からなる。前側第３サブレンズ群Ｇ３Ｃ１は、物体側に凸面を向けた負メニスカス形状の第１３レンズ素子と両凸形状の正のパワーの第１４レンズ素子との接合レンズからなる。後側第３サブレンズ群Ｇ３Ｃ２は、両凸形状の正のパワーの第１５レンズ素子とからなる。なお、第１０レンズ素子の物体側の面は非球面形状である。
【００１４】
第４レンズ群Ｇ４は、物体側から像側へと順に、像側に凹面を向けた負メニスカス形状の第１６レンズ素子と、正のパワーの第１７レンズ素子と、両凹形状の負のパワーの第１８レンズ素子とからなる。第１６レンズの物体側面は非球面形状である。また、第１７レンズ素子と第１８レンズ素子は接合されている。
【００１５】
第５レンズ群Ｇ５は、物体側に凹面を向けた負のパワーの第１９レンズ素子と、像側に凸面を向けた正のパワーの第２０レンズ素子と、両凸形状の正のパワーの第２１レンズ素子と、正のパワーの第２２レンズ素子と、負のパワーの第２３レンズ素子とからなる。第１９レンズ素子と第２０レンズ素子、第２２レンズ素子と第２３レンズ素子は、それぞれ接合されている。
【００１６】
広角端から望遠端へのズーミングに際して、像面に対して、第１レンズ群Ｇ１は光軸上において不動で、第２レンズ群Ｇ２は単調に像側へ移動し、第３レンズ群Ｇ３は不動で、第４レンズ群Ｇ４は単調に像側へ移動し、第５レンズ群Ｇ５は不動である。
【００１７】
また、無限遠合焦状態から近接物体合焦状態へのフォーカシングに際して、第４レンズ群Ｇ４が光軸に沿って像側へ移動する。さらに、レンズ系が振動した際の像ぶれを補正するために、第３サブレンズ群Ｇ３Ｃの内、第１３レンズ素子と第１４レンズ素子との接合レンズの前側第３サブレンズ群Ｇ３Ｃ１が像ぶれ補正レンズ群として光軸と垂直方向に移動する。
（実施の形態２）
第１レンズ群Ｇ１は、物体側から像側へと順に、物体側に凸面を向けた負メニスカス形状の第１レンズ素子と、正のパワーの第２レンズ素子と、物体側に凸面を向けた正メニスカス形状の第３レンズ素子とからなる。第１レンズ素子と第２レンズ素子は接合されている。
【００１８】
第２レンズ群Ｇ２は、物体側から像側へと順に、非球面を有する負のパワーの第４レンズ素子と、両凹形状の負のパワーの第５レンズ素子と、両凸形状の正のパワーの第６レンズ素子と、像側の面が非球面の負のパワーの第７レンズ素子とからなる。第６レンズ素子と第７レンズ素子は接合されている。
【００１９】
第３レンズ群Ｇ３は、物体側から像側へと順に、最も物体側にある接合レンズを境に、第１サブレンズ群Ｇ３Ａと、負パワーの第２サブレンズ群Ｇ３Ｂと、正のパワーの第３サブレンズ群Ｇ３Ｃとからなる。第１サブレンズ群Ｇ３Ａは、両凸形状の正パワーの第８レンズ素子からなる。第２サブレンズ群Ｇ３Ｂは、物体側に凸面を向けた正パワーの第９レンズ素子と像側に凹面を向けた負パワーの第１０レンズ素子との接合レンズからなる。第３サブレンズ群Ｇ３Ｃは、物体側から像側へと順に、最大空気間隔を境に、正のパワーの前側第３サブレンズ群Ｇ３Ｃ１と、後側第３サブレンズ群Ｇ３Ｃ２からなる。前側第３サブレンズ群Ｇ３Ｃ１は、物体側に凸面を向けた負メニスカス形状の第１１レンズ素子と両凸形状の正のパワーの第１２レンズ素子との接合レンズからなる。後側第３サブレンズ群Ｇ３Ｃ２は、両凸形状の正パワーの第１３レンズ素子からなる。
【００２０】
第４レンズ群Ｇ４は、物体側から像側へと順に、非球面を有し像側に凹面を向けた負のパワーの第１４レンズ素子と、正のパワーの第１５レンズ素子と、両凹形状の負のパワーの第１６レンズ素子とからなる。第１５レンズ素子と第１６レンズ素子とは接合されている。
【００２１】
第５レンズ群Ｇ５は、物体側に凹面を向けた形状の負のパワーの第１７レンズ素子と、像側に凸面を向けた形状の正のパワーのレンズ素子と、両凸形状の正のパワーの第１９レンズ素子と、物体側に凸面を向けた正のパワーの第２０レンズ素子と、負のパワーの第２１レンズ素子とからなる。第１７レンズ素子と第１８レンズ素子、第２０レンズ素子と第２１レンズ素子は、それぞれ接合されている。
【００２２】
広角端から望遠端へのズーミングに際して、像面に対して、第１レンズ群Ｇ１は不動、第２レンズ群Ｇ２は単調に像側へ移動し、第３レンズ群Ｇ３は不動、第４レンズ群Ｇ４は単調に像側へ移動し、第５レンズ群Ｇ５は不動である。
【００２３】
また、無限遠合焦状態から近接物体合焦状態へのフォーカシングに際して、第４レンズ群Ｇ４が光軸に沿って像側へ移動する。さらに、レンズ系が振動した際の像ぶれを補正するために、第３サブレンズ群Ｇ３Ｃの内、第１２レンズ素子と第１３レンズ素子との接合レンズの前側第３サブレンズ群Ｇ３Ｃ１が像ぶれ補正レンズ群として光軸と垂直方向に移動する。
【００２４】
（実施の形態３）
第１レンズ群Ｇ１は、物体側から像側へと順に、物体側に凸面を向けた負メニスカス形状の第１レンズ素子と、正パワーの第２レンズ素子と、物体側に凸面を向けた正メニスカス形状の第３レンズ素子とからなる。第１レンズ素子と第２レンズ素子とは接合されている。
【００２５】
第２レンズ群Ｇ２は、物体側から像側へと順に、非球面を有する負のパワーの第４レンズ素子と、両凹形状の負のパワーの第５レンズ素子と、両凸形状の正のパワーの第６レンズ素子と、像側面が非球面の負のパワーの第７レンズ素子とからなる。第６レンズ素子と、第７レンズ素子とは接合されている。
【００２６】
第３レンズ群Ｇ３は、物体側から像側へと順に、最も物体側にある接合レンズを境に、第１サブレンズ群Ｇ３Ａと、負のパワーの第２サブレンズ群Ｇ３Ｂと、正のパワーの第３サブレンズ群Ｇ３Ｃとからなる。第１サブレンズ群Ｇ３Ａは、非球面を有する両凸形状の正のパワーの第８レンズ素子からなる。第２サブレンズ群Ｇ３Ｂは、物体側に凸面を向けた正のパワーの第９レンズ素子と像側に凹面を向けた負のパワーの第１０レンズ素子との接合レンズからなる。第３サブレンズ群Ｇ３Ｃは、物体側から像側へと順に、最大空気間隔を境に、正のパワーの前側第３サブレンズ群Ｇ３Ｃ１と、後側第３サブレンズ群Ｇ３Ｃ２からなる。前側第３サブレンズ群Ｇ３Ｃ１は、物体側に凸面を向けた負メニスカス形状の第１１レンズ素子と両凸形状の正のパワーの第１２レンズ素子との接合レンズからなる。後側第３サブレンズ群Ｇ３Ｃ２は、両凸形状の正パワーの第１３レンズ素子からなる。
【００２７】
第４レンズ群Ｇ４は、物体側から像側へと順に、非球面を有し像側に凹面を向けた負のパワーの第１４レンズ素子と、正のパワーの第１５レンズ素子と、両凹形状の負のパワーの第１６レンズ素子とからなる。第１５レンズ素子と第１６レンズ素子とは接合されている。
【００２８】
第５レンズ群Ｇ５は、物体側に凹面を向けた負のパワーの第１７レンズ素子と、像側に凸面を向けた正のパワーの第１８レンズ素子と、両凸形状の正のパワーの第１９レンズ素子と、物体側に凸面を向けた正のパワーの第２０レンズ素子と、負のパワーの第２１レンズ素子からなる。第１７レンズ素子と第１８レンズ素子、第２０レンズ素子と第２１レンズ素子は、それぞれ接合されている。
【００２９】
広角端から望遠端へのズーミングに際して、像面に対して、第１レンズ群Ｇ１は不動、第２レンズ群Ｇ２は単調に像側へ移動し、第３レンズ群Ｇ３は不動、第４レンズ群Ｇ４は単調に像側へ移動し、第５レンズ群Ｇ５は不動である。
【００３０】
また、無限遠合焦状態から近接物体合焦状態へのフォーカシングに際して、第４レンズ群Ｇ４が光軸に沿って像側へ移動する。さらに、レンズ系が振動した際の像ぶれを補正するために、前側第３サブレンズ群Ｇ３Ｃ１を構成する第１２レンズ素子と第１３レンズ素子の接合レンズが像ぶれ補正レンズ群として光軸と垂直方向に移動する。
【００３１】
このように、実施の形態１〜３に係るズームレンズ系は、少なくとも１枚のレンズ素子からなるレンズ群を複数有し、物体側から像側へ順に、１枚の負のパワーのレンズ素子と２枚の正のパワーのレンズ素子を含み、正のパワーを有し、ズーミング時に像面Ｓに対して不動の第１レンズ群Ｇ１と、２枚の負のパワーのレンズ素子と１枚の正のパワーのレンズ素子を含み、負のパワーを有する第２レンズ群Ｇ２と、正のパワーを有し、ズーミング時に像面Ｓに対して不動の第３レンズ群Ｇ３と、１枚の正レンズ素子と１枚の負レンズ素子を含み、負のパワーを有する第４レンズ群Ｇ４と、２枚の正のパワーのレンズ素子と１枚の負のパワーのレンズ素子を含み、正のパワーを有し、ズーミング時に像面Ｓに対して不動の第５レンズ群Ｇ５と、を備え、第３レンズ群Ｇ３は、物体側から像側へ順に、正のパワーのレンズ素子を含む第１サブレンズ群Ｇ３Ａと、正のパワーのレンズ素子と負のパワーのレンズ素子の接合レンズを含む第２レンズ群Ｇ３Ｂと、正のパワーのレンズ素子を含む第３サブレンズ群Ｇ３Ｃとからなり、第４レンズ群Ｇ４は、無限遠合焦状態から近接物体合焦状態へのフォーカシングの際に光軸に沿って移動する。
【００３２】
第１レンズ群Ｇ１が少なくとも１枚の負のパワーのレンズ素子と少なくとも２枚の正のパワーのレンズ素子を有することで、ズーム域の全域での軸上色収差と球面収差を少なくすることが可能になる。また、第２レンズ群Ｇ２が少なくとも２枚の負のパワーのレンズ素子と少なくとも１枚の正のパワーのレンズ素子を有することで、ズーミング時の像面湾曲やコマ収差の変動を低減することができる。また、第３レンズ群を正のパワーの第１サブレンズ群Ｇ３Ａ、負のパワーの第２サブレンズ群Ｇ３Ｂ、正のパワーの第３サブレンズ群Ｇ３Ｃで構成することにより、収差補正の自由度を高め良好な収差補正を可能にしている。特に、第２サブレンズ群Ｇ３Ｂを正のパワーのレンズ素子と負のパワーのレンズ素子の接合レンズにしたこと、及び、第３サブレンズ群Ｇ３Ｃに複数の正のパワーのレンズ素子を有する構成としたことで、軸上色収差や球面収差やコマ収差や像面湾曲収差を良好に補正することが可能になっている。また、第４レンズ群Ｇ４は少なくとも１枚の正のパワーのレンズ素子と少なくとも１枚の負のパワーのレンズ素子を有する構成にしたことで、レンズ群のパワーを強めて光軸上の移動量を低減したときの収差発生を抑えている。また、第５レンズ群Ｇ５を少なくとも２枚の正のパワーのレンズ素子と少なくとも１枚の負のパワーのレンズ素子を有する構成にしたことにより、広角端で顕著となる倍率色収差と軸上色収差と像面湾曲収差を良好に補正している。
【００３３】
実施の形態１〜３に係るズームレンズ系は、第３レンズ群Ｇ３の物体側に隣接し、ズーミング時に像面Ｓに対して不動である開口絞りＡを有する。開口絞りＡを光軸上で固定にすることにより移動機構が不要になりメカ構造がシンプルになる。
【００３４】
実施の形態１〜３に係るズームレンズ系は、レンズ系が振動した際の像ぶれを補正するために、ズーミング時及びフォーカシング時に像面Ｓに対して不動の第３レンズ群Ｇ３の内、前側第３サブレンズ群Ｇ３Ｃ１を光軸に対して垂直方向に移動させる。このため、像ぶれ補正レンズ群を移動させるメカ構造物を光軸方向に前後に移動させる必要がないのでレンズ鏡筒の小型化に有利となる。さらに、像ぶれ補正レンズ群の位置する第３レンズ群Ｇ３内において前側第３サブレンズ群Ｇ３Ｃ１の物体側と像側にそれぞれ正のパワーのレンズ素子が配置された構成になっているので、像ぶれ補正レンズ群を垂直方向に移動させたときの光学性能の劣化、特に偏心誤差感度を低減できる。
【００３５】
第５レンズ群Ｇ５において、正のパワーのレンズ素子に非球面を用いることにより像面湾曲収差と球面収差を良好に補正している。また、第５レンズ群Ｇ５の最も物体側に、物体側に凹面を向けた負のパワーのレンズ素子を配置することで、補正量不足になりがちな像面湾曲収差の補正に効果的である。また、第５レンズ群Ｇ５を最も物体側から像側へと順に負のパワーのレンズ素子と正のパワーのレンズ素子と正のパワーのレンズ素子の配置で、かつ、像側から物体側へと順に負のパワーのレンズ素子と正のパワーのレンズ素子と正のパワーのレンズ素子の配置にしたことにより、製造誤差による性能低下を低減している。
【００３６】
以下、例えば実施の形態１〜３に係るズームレンズ系のごときズームレンズ系が満足することが好ましい条件を説明する。複数の好ましい条件が規定されるが、個別の条件を満足することにより、それぞれ対応する効果を奏するズームレンズ系を得ることも可能である。
【００３７】
例えば実施の形態１〜３に係るズームレンズ系のように、少なくとも１枚のレンズ素子からなるレンズ群を複数有し、物体側より像側へ順に、１枚の負のパワーのレンズ素子と２枚の正のパワーのレンズ素子を含み、正のパワーを有し、ズーミングに際して像面に対して不動の第１レンズ群と、２枚の負のパワーのレンズ素子と１枚の正のパワーのレンズ素子を含み、負のパワーを有する第２レンズ群と、正のパワーを有し、ズーミングに際して像面に対して不動の第３レンズ群と、１枚の正のパワーのレンズ素子と１枚の負のパワーのレンズ素子を含み、負のパワーを有する第４レンズ群と、２枚の正のパワーのレンズ素子と１枚の負のパワーのレンズ素子を含み、正のパワーを有し、ズーミングに際して像面に対して不動の第５レンズ群と、を備え、第３レンズ群は、物体側から像側へ順に、正のパワーのレンズ素子を含む第１サブレンズ群と、正のパワーのレンズ素子と負のパワーのレンズ素子の接合レンズを含む第２サブレンズ群と、正のパワーのレンズ素子を含む第３サブレンズ群とからなり、第４レンズ群は、無限遠合焦状態から近接物体合焦状態へのフォーカシングの際に光軸に沿って移動する（以下、このレンズ構成を、実施の形態の基本構成という）ズームレンズは、以下の条件（１）及び（２）を満足する。
【００３８】
０．０５＜（Ｄ３Ｐ＋Ｄ５Ｐ）／Ｄ５Ｎ＜７．４１  ・・・（１）
７２．８＜Ｖ１Ｐ＜９６．１  ・・・（２）
ここで、
Ｄ３Ｐ：第３レンズ群中の正のパワーのレンズ素子の内、最も物体側に位置する正のパワーのレンズ素子と該正のパワーのレンズ素子の像側に配置された正のパワーのレンズ素子の最小軸上間隔
Ｄ５Ｐ：第５レンズ群中の正のパワーのレンズ素子の内、最も物体側に位置する正のパワーのレンズ素子と該正のパワーのレンズ素子の像側に配置された正のパワーのレンズ素子の最小軸上間隔
Ｄ５Ｎ：第５レンズ群中の負のパワーのレンズ素子の最大軸上厚
Ｖ１Ｐ：第１レンズ群の正のパワーのレンズ素子の内、最大のアッベ数
である。
【００３９】
条件（１）は、第３レンズ群Ｇ３内の物体側に位置する正のパワーのレンズ素子の間隔と第５レンズ群Ｇ５内の物体側に位置する正のパワーのレンズ素子の間隔に関するものである。この条件を満足することで、諸収差を抑制しつつ小型なレンズ系を実現できる。下限値を下回ると、第３レンズ群のパワーが強くなり、後続するレンズ群のレンズ系が大型化し好ましくない。また、下限値を下回ると、第５レンズ群のパワーが強くなり、撮像素子に入射する光線の角度が大きくなり好ましくない。反対に、上限値を上回ると２つの正のパワーのレンズ素子の合成焦点距離が大きくなり、レンズ全長が大型化する。
【００４０】
さらに、条件（１）’の上限値または下限値の少なくとも一方を満足することで、前記した効果をより奏功できる。
【００４１】
０．１５＜（Ｄ３Ｐ＋Ｄ５Ｐ）／Ｄ５Ｎ＜６．４１  ・・・（１）’
さらに望ましくは、条件（１）’’の上限値または下限値の少なくとも一方を満足するのが良い。
【００４２】
０．２５＜（Ｄ３Ｐ＋Ｄ５Ｐ）／Ｄ５Ｎ＜５．４１  ・・・（１）’’
条件（２）は、第１レンズ群Ｇ１の正レンズ素子の内、最大のアッベ数に関するものである。下限値を下回ると高分散になって望遠端での軸上色収差と倍率色収差の補正が良好におこなえなくなる。反対に、上限値を上回ると低分散になり、第１レンズ群Ｇ１が大型になってしまう。
【００４３】
また、本開示に係るズームレンズ系は、以下の条件（３）を満足することが好ましい。
【００４４】
−０．６６＜ｆ３／ｆ３Ｂ＜０．１８  ・・・（３）
ここで、
ｆ３：第３レンズ群Ｇ３の焦点距離
ｆ３Ｂ：第２サブレンズ群Ｇ３Ｂの焦点距離
である。
【００４５】
条件（３）は、第３レンズ群Ｇ３内での第２サブレンズ群Ｇ３Ｂの屈折力比に関するものであり、下限を超えて負の屈折力が強くなると、第３サブレンズ群Ｇ３Ｃおよび第４レンズ群Ｇ４のレンズ径が大径化してしまい好ましくない。上限を超えて第２サブレンズ群Ｇ３Ｂが正で屈折力が強くなると、コマ収差や像面湾曲収差の補正が困難になる。
【００４６】
さらに、条件（３）’の上限値または下限値の少なくとも一方を満足することで前記した効果をより奏功できる。
【００４７】
−０.５９＜ｆ３／ｆ３Ｂ＜０．０６  ・・・（３）’
さらに望ましくは、（３）’’の上限値または下限値の少なくとも一方を満足するのが良い。
【００４８】
−０.５３＜ｆ３／ｆ３Ｂ＜−０．０６  ・・・（３）’’
また、本開示に係るズームレンズ系は、以下の条件（４）を満足するのが好ましい。
【００４９】
−０.３３＜ｆ３／ｆ３ＢＣ１＜０．３３・・・（４）
ここで、
ｆ３ＢＣ１：第２サブレンズ群Ｇ３Ｂと前側第３サブレンズ群Ｇ３Ｃ１の合成焦点距離
である。
【００５０】
条件（４）は、第３レンズ群Ｇ３内での第２サブレンズ群Ｇ３Ｂと前側第３サブレンズ群Ｇ３Ｃ１による部分系の屈折力比に関するものであり、この部分系の屈折力が正になり上限を超えて屈折力比が大きくなると、この部分系の製造誤差や光軸と垂直方向の位置ずれによる性能劣化が大きくなり好ましくない。またこの部分系の屈折力が負になり下限を超えて負の方向に屈折力比が大きくなると、第１サブレンズ群Ｇ３Ａまたは後側第３サブレンズ群Ｇ３Ｃ２の製造誤差や光軸と垂直方向の位置ずれによる性能劣化が大きくなり好ましくない。
【００５１】
さらに、条件（４）’の上限値または下限値の少なくとも一方を満足することで前記した効果をより奏功できる。
【００５２】
−０．２９＜ｆ３／ｆ３ＢＣ１＜０．２２・・・（４）’
さらに望ましくは、条件（４）’’の上限値または下限値の少なくとも一方を満足するのが良い。
【００５３】
−０．２６＜ｆ３／ｆ３ＢＣ１＜０．１１・・・（４）’’
（実施の形態４）
図１０は、実施の形態４に係るレンズ交換式デジタルカメラシステムの概略構成図である。本実施の形態に係るレンズ交換式デジタルカメラシステム１００（以下、単に「カメラシステム」という）は、カメラ本体１０１と、カメラ本体１０１に着脱自在に接続される交換レンズ装置２０１とを備える。
【００５４】
カメラ本体１０１は、交換レンズ装置２０１のズームレンズ２０２によって形成される光学像を受光して、電気的な画像信号に変換する撮像素子１０２と、撮像素子１０２によって変換された画像信号を表示する液晶モニタ１０３と、カメラマウント部１０４とを含む。
【００５５】
一方、交換レンズ装置２０１は、上記の実施の形態１〜３のいずれかに係るズームレンズ２０２と、ズームレンズ２０２を保持する鏡筒２０３と、カメラ本体のカメラマウント部１０４に接続されるレンズマウント部２０４とを含む。
【００５６】
カメラマウント部１０４及びレンズマウント部２０４は、物理的な接続のみならず、カメラ本体内１０１のコントローラ（図示せず）と交換レンズ装置２０１内のコントローラ（図示せず）とを電気的に接続し、相互の信号のやり取りを可能とするインターフェースとしても機能する。
【００５７】
実施の形態４では、実施の形態１〜３のいずれかに係るズームレンズ２０２を用いている。したがって、コンパクトで結像性能に優れた交換レンズ装置を低コストで実現することができる。また、本実施の形態に係るカメラシステム１００全体の小型化及び低コスト化も達成できる。
【００５８】
以下、上記の実施の形態１〜３に係るズームレンズを具体的に実施した数値実施例を説明する。後述するように、数値実施例１、２、３は、それぞれ実施の形態１、２、３に対応する。
【００５９】
なお、各数値実施例において、長さの単位はすべて「ｍｍ」であり、画角の単位はすべて「°」である。
【００６０】
また、各数値実施例において、ｒは曲率半径、ｄは面間隔、ｎｄはｄ線に対する屈折率、ｖｄはｄ線に対するアッベ数である。
【００６１】
また、各数値実施例において、＊印を付した面は非球面であり、非球面形状は次式で定義している。
【００６２】
【数１】
2017134304.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００６３】
図２、５、８は、それぞれ数値実施例１、２、３に係るズームレンズ系の無限遠合焦状態の縦収差図である。
【００６４】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。
【００６５】
非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００６６】
図３、６、９は、それぞれ数値実施例１、２、３に係るズームレンズ系の像ぶれ補正を行っていない基本状態及び像ぶれ補正状態での横収差図である。
【００６７】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態にそれぞれ対応する。
【００６８】
基本状態の各横収差図のうち、上段は最大像高の７０％の像点における横収差、中段は軸上像点における横収差、下段は最大像高の−７０％の像点における横収差に、それぞれ対応する。
【００６９】
像ぶれ補正状態の各横収差図のうち、上段は最大像高の７０％の像点における横収差、中段は軸上像点における横収差、下段は最大像高の−７０％の像点における横収差に、それぞれ対応する。
【００７０】
また、各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【００７１】
各数値実施例のズームレンズの像ぶれ補正状態において、望遠端における、像ぶれ補正レンズ群の光軸と垂直な方向への移動量（Ｄｅｃ（ｍｍ））は、以下の表１に示す通りである。像ぶれ補正角は、０．３°である。
【００７２】
【表１】
2017134304.tif 000004
（数値実施例１）
数値実施例のズームレンズ系は、図１に示した実施の形態１に対応する。以下、数値実施例１に係るレンズ系の各種データを示す。
面データ
面番号         r           d           nd         vd     有効径     
物面             ∞                                               
1        341.59590     3.50000     1.95375    32.3    43.097     
2         99.94500    12.52490     1.43700    95.1    40.314     
3       -349.30810     0.20000                        39.876     
4        175.46320     3.00000     1.80420    46.5    37.013     
5         71.64960    10.32700     1.55032    75.5    34.362     
6       5967.78740     0.20000                        33.860     
7         66.54060     7.21340     1.83481    42.7    31.112     
8        251.84470        可変                        30.563     
9*       154.12930     1.50000     1.90043    37.4    16.369     
10         15.87140     9.29490                        12.414     
11        -32.58790     1.00000     1.69680    55.5    12.252     
12         53.22240     4.36810     1.76182    26.6    12.589     
13        -54.01350     0.19000                        12.664     
14        -98.73940     2.00000     1.80610    40.7    12.589     
15*       -82.71380        可変                        12.604     
16(絞り)           ∞     1.75000                         8.470     
17*       103.12190     3.00390     1.59201    67.0    10.401     
18        -43.55630     0.24850                        10.542     
19         18.98040     5.53370     1.56883    56.0    10.661     
20       -133.67580     0.92370     1.80420    46.5    10.249     
21         19.96260     3.49380                         9.575     
22         51.42140     0.80000     1.76182    26.6     9.798     
23         27.64680     4.07460     1.49700    81.6     9.760     
24       -120.35360     1.00000                         9.836     
25         59.63390     4.16840     1.59282    68.6     9.880     
26        -34.68050        可変                         9.785     
27*       119.00190     0.70000     1.77200    50.0     6.343     
28         25.88470     1.17890                         6.253     
29        -80.92000     2.47580     1.92286    20.9     6.268     
30        -18.92820     0.71000     1.80420    46.5     6.402     
31         50.70810        可変                         6.642     
32        -45.75780     1.00000     1.92119    24.0    11.009     
33       -225.74590     3.74000     1.49700    81.6    11.577     
34*       -30.78520     0.53270                        12.115     
35         35.92040     7.59880     1.49700    81.6    13.885     
36        -43.06810     0.19810                        13.995     
37      -3372.85650     6.50950     1.51742    52.1    13.743     
38        -24.78830     1.21000     2.00100    29.1    13.601     
39        -71.98750    36.54700                        14.039     
40               ∞      BF                                       
像面             ∞                                               
非球面データ
第9面
K= 0.00000E+00, A4= 3.58323E-06, A6=-1.24054E-08, A8=-7.32409E-13 
A10= 7.10545E-15 
第15面
K= 0.00000E+00, A4=-6.75217E-06, A6=-1.81789E-08, A8= 1.81866E-11 
A10=-2.74732E-13 
第17面
K= 0.00000E+00, A4=-1.01046E-05, A6=-1.04354E-08, A8= 8.78974E-11 
A10=-3.28972E-13 
第27面
K= 0.00000E+00, A4=-4.70718E-06, A6= 8.34837E-08, A8=-2.20566E-09 
A10= 2.33556E-11 
第34面
K= 0.00000E+00, A4= 3.44208E-07, A6= 9.79200E-09, A8=-5.39490E-11 
A10=-6.83983E-15 
各種データ
ズーム比     6.21248
広角      中間      望遠
焦点距離      18.6408   46.4545  115.8054
Ｆナンバー     4.16068   4.16129   4.16334
画角        39.0121   16.6775    6.9588
像高        14.4200   14.4200   14.4200
レンズ全長    216.1680  216.1605  216.1931
ＢＦ        0.00140   0.00332   0.00788
d8           0.7972   31.9768   53.3369 
d15         54.3498   23.1220    1.7913 
d26          1.5280    6.4506   12.9259 
d31         16.7759   11.8921    5.4154 
入射瞳位置     43.7185  110.2629  198.3834
射出瞳位置   -208.6897 -152.1554 -110.1656
前側主点位置   60.6942  142.5347  192.4636
後側主点位置  197.5272  169.7060  100.3877
単レンズデータ
レンズ     始面     焦点距離
1         1     -149.1878
2         2      179.3469
3         4     -152.5500
4         5      131.6965
5         7      106.4443
6         9      -19.7514
7        11      -28.8688
8        12       35.8198
9        14      598.8549
10        17       52.1224
11        19       29.6079
12        20      -21.5399
13        22      -79.6507
14        23       45.6536
15        25       37.6078
16        27      -42.9909
17        29       26.2694
18        30      -17.0615
19        32      -62.4670
20        33       71.2695
21        35       40.7077
22        37       48.2302
23        38      -38.2595
ズームレンズ群データ
群   始面    焦点距離  レンズ構成長    前側主点位置  後側主点位置
1      1   106.52028    36.96530        18.63235      32.74748
2      9   -19.05357    18.35300         0.33010       3.08839
3     16    26.01964    24.99660        11.56275      13.86606
4     27   -22.03346     5.06470         1.41343       3.28060
5     32    50.73529    20.78910         6.77852      14.34784
ズームレンズ群倍率
群   始面    広角       中間       望遠
1      1    0.00000    0.00000    0.00000
2      9   -0.23202   -0.37402   -0.64410
3     16   -0.33090   -0.51925   -0.76698
4     27   14.93012   14.71221   14.42713
5     32    0.15267    0.15263    0.15254
（数値実施例２）
数値実施例のズームレンズ系は、図４に示した実施の形態２に対応する。以下、数値実施例２に係るズームレンズ系の各種データを示す。
面データ
面番号         r           d           nd         vd     有効径     
物面             ∞                                               
1        192.24710     2.80000     2.00100    29.1    35.023     
2         70.46220    11.03710     1.49700    81.6    32.411     
3       -376.42900     0.20000                        31.886     
4         61.14230     6.40980     1.83481    42.7    28.056     
5        219.84880        可変                        27.508     
6*       143.82440     1.50000     1.80610    40.7    15.132     
7         14.90590     7.05330                        11.538     
8        -77.19780     1.00000     1.71300    53.9    11.404     
9         63.07370     0.18070                        11.285     
10         37.74260     3.61990     1.80518    25.5    11.350     
11        -98.73010     1.51000     1.77377    47.2    11.230     
12*       119.67640        可変                        10.986     
13(絞り)           ∞     1.75000                         7.484     
14*        82.61530     3.16460     1.61035    57.9     9.354     
15        -32.37890     0.24410                         9.519     
16         21.45990     4.77950     1.57135    53.0     9.567     
17        -56.69850     1.14380     1.80100    35.0     9.266     
18         21.56860     2.87340                         8.795     
19         57.91010     0.80000     1.74330    49.2     9.024     
20         25.38740     3.43770     1.55032    75.5     9.038     
21       -146.34380     1.00000                         9.121     
22         53.83030     3.90860     1.59282    68.6     9.233     
23        -26.04430        可変                         9.188     
24*       -70.19640     0.70000     1.83481    42.7     6.014     
25         29.00490     0.52060                         5.988     
26        103.18710     2.07070     1.92286    20.9     6.000     
27        -21.86760     0.71000     1.80420    46.5     6.057     
28         26.79350        可変                         6.194     
29        -92.27940     1.00000     1.84666    23.8    10.445     
30         71.72360     3.24110     1.49700    81.6    11.003     
31        -57.59520     0.48810                        11.410     
32*        35.04290     7.78600     1.49710    81.6    12.998     
33*       -38.16800     1.19040                        13.423     
34         71.04800     7.17240     1.58144    40.9    13.562     
35        -28.85600     1.21000     1.85000    27.0    13.428     
36       -771.34220    31.74970                        13.566     
37               ∞      BF                                       
像面             ∞                                               
非球面データ
第6面
K= 0.00000E+00, A4=-3.05345E-06, A6= 6.68634E-09, A8=-2.43682E-11 
A10= 2.27914E-14 
第12面
K= 0.00000E+00, A4=-1.13959E-05, A6=-2.77493E-08, A8= 1.71874E-10 
A10=-1.17345E-12 
第14面
K= 0.00000E+00, A4=-1.89433E-05, A6=-2.48829E-08, A8= 2.20439E-10 
A10=-1.08425E-12 
第24面
K= 0.00000E+00, A4= 9.61982E-06, A6= 7.03304E-08, A8=-2.46542E-09 
A10= 3.39048E-11 
第32面
K= 0.00000E+00, A4=-4.44923E-06, A6=-5.44019E-09, A8= 2.20617E-11 
A10=-3.90031E-13 
第33面
K= 0.00000E+00, A4=-4.35127E-07, A6=-9.49142E-09, A8= 8.44496E-11 
A10=-5.97067E-13 
各種データ
ズーム比     5.16804
広角      中間      望遠
焦点距離      18.6518   42.4092   96.3931
Ｆナンバー     4.15973   4.15979   4.15812
画角        40.9909   18.6663    8.3424
像高        14.4200   14.4200   14.4200
レンズ全長    179.4029  179.3740  179.3321
ＢＦ       -0.00074  -0.02232  -0.08933
d5           0.7955   26.5707   44.5966 
d12         46.6355   20.8281    2.8290 
d23          1.5179    5.4559   11.3844 
d28         14.2032   10.2901    4.3599 
入射瞳位置     33.4597   83.2910  136.7627
射出瞳位置   -189.7565 -137.2404  -95.7900
前側主点位置   50.2782  112.5930  136.0653
後側主点位置  160.7511  136.9648   82.9389
単レンズデータ
レンズ     始面     焦点距離
1         1     -112.4116
2         2      120.4090
3         4       99.6266
4         6      -20.7370
5         8      -48.5409
6        10       34.3171
7        11      -69.7068
8        14       38.5142
9        16       27.8667
10        17      -19.3807
11        19      -61.4612
12        20       39.5936
13        22       30.1570
14        24      -24.5069
15        26       19.7086
16        27      -14.8754
17        29      -47.5326
18        30       64.8129
19        32       38.0970
20        34       36.2508
21        35      -35.2940
ズームレンズ群データ
群   始面    焦点距離  レンズ構成長    前側主点位置  後側主点位置
1      1   104.89468    20.44690         8.30996      16.32889
2      6   -17.90376    14.86390         1.81234       5.60680
3     13    21.86778    23.10170        11.28187      13.53996
4     24   -17.24251     4.00130         1.09414       2.79386
5     29    42.47148    22.08800         6.08048      13.97765
ズームレンズ群倍率
群   始面    広角       中間       望遠
1      1    0.00000    0.00000    0.00000
2      6   -0.22306   -0.32857   -0.49100
3     13   -0.32539   -0.50520   -0.77560
4     24   39.83243   39.27732   37.94781
5     29    0.06150    0.06201    0.06359
（数値実施例３）
数値実施例のズームレンズ系は、図７に示した実施の形態３に対応する。以下、数値実施例３に係るズームレンズ系の各種データを示す。
面データ
面番号         r           d           nd         vd     有効径     
物面             ∞                                               
1        137.52930     2.40000     1.95375    32.3    28.875     
2         58.81900     8.96040     1.49700    81.6    26.775     
3       -418.36390     0.20000                        26.240     
4         52.27670     5.15830     1.80420    46.5    23.486     
5        165.68060        可変                        22.975     
6*        87.03720     1.50000     1.85400    40.4    13.829     
7         13.39860     6.78290                        10.413     
8        -51.49550     1.00000     1.80420    46.5    10.217     
9         92.43890     0.18570                        10.115     
10         56.85550     5.02210     1.71736    29.5    10.124     
11        -21.97260     1.01000     1.69350    53.2    10.031     
12*      -294.34370        可変                         9.843     
13(絞り)           ∞     1.20000                         7.382     
14*        58.56000     4.01370     1.58313    59.4     8.873     
15        -27.08050     0.79250                         9.102     
16         39.55060     4.57850     1.60738    56.8     9.042     
17        -22.26610     1.16710     1.80100    35.0     8.872     
18         27.46750     3.00110                         8.693     
19         85.24110     0.80000     1.74400    44.7     9.123     
20         30.55940     3.87460     1.55032    75.5     9.242     
21        -71.09200     1.00000                         9.455     
22         71.08940     4.68830     1.64000    60.2     9.705     
23        -24.45360     0.00000                         9.731     
24               ∞        可変                         6.517     
25*       -46.33180     1.00000     1.80139    45.4     6.539     
26         29.64230     0.55690                         6.622     
27         76.41290     2.60240     1.92286    20.9     6.644     
28        -19.61490     0.71000     1.83481    42.7     6.746     
29         43.63190        可変                         6.940     
30        -47.17400     1.00000     1.92119    24.0    11.704     
31        110.56730     5.86440     1.58313    59.4    12.597     
32*       -28.56380     2.16990                        13.301     
33         36.96550     7.54560     1.57135    53.0    16.053     
34        -60.48790     3.29840                        16.046     
35         45.22490     8.56520     1.43700    95.1    14.795     
36        -32.96620     1.21000     1.95375    32.3    14.187     
37        190.36510    29.53030                        14.095     
38               ∞      BF                                       
像面             ∞                                               
非球面データ
第6面
K= 0.00000E+00, A4=-4.46762E-07, A6=-8.37148E-09, A8=-3.94399E-11 
A10= 1.12859E-13 
第12面
K= 0.00000E+00, A4=-1.49475E-05, A6=-4.99399E-08, A8= 2.91184E-11 
A10=-1.04374E-12 
第14面
K= 0.00000E+00, A4=-2.60231E-05, A6=-1.43969E-08, A8= 1.64545E-10 
A10=-8.32304E-13 
第25面
K= 0.00000E+00, A4= 1.13470E-05, A6= 2.55260E-08, A8=-7.57929E-10 
A10= 9.91209E-12 
第32面
K= 0.00000E+00, A4= 2.47951E-07, A6= 9.67872E-09, A8=-5.59800E-11 
A10= 1.74369E-13 
各種データ
ズーム比     4.50679
広角      中間      望遠
焦点距離      19.2667   40.8972   86.8311
Ｆナンバー     4.16067   4.16001   4.16422
画角        38.0983   18.8918    9.2444
像高        14.4200   14.4200   14.4200
レンズ全長    178.7557  178.7469  178.7595
ＢＦ        0.00717  -0.00387  -0.01507
d5           0.7988   21.3919   36.2880 
d12         37.0561   16.4461    1.5666 
d24          1.5262    5.8693   12.0483 
d29         17.9791   13.6552    7.4834 
入射瞳位置     29.2931   69.4961  113.5762
射出瞳位置   -198.2589 -147.5396 -107.0773
前側主点位置   46.6876   99.0565  129.9844
後側主点位置  159.4889  137.8497   91.9285
単レンズデータ
レンズ     始面     焦点距離
1         1     -109.3857
2         2      104.4116
3         4       93.0831
4         6      -18.7195
5         8      -40.9971
6        10       22.6960
7        11      -34.2917
8        14       32.3131
9        16       24.1301
10        17      -15.1940
11        19      -64.4312
12        20       39.3689
13        22       28.9845
14        25      -22.4258
15        27       17.1359
16        28      -16.1269
17        30      -35.7863
18        31       39.5414
19        33       41.3207
20        35       45.1357
21        36      -29.3850
ズームレンズ群データ
群   始面    焦点距離  レンズ構成長    前側主点位置  後側主点位置
1      1    89.89113    16.71870         5.88545      12.31129
2      6   -15.80942    15.50070         1.51100       5.17121
3     13    22.69469    25.11580        13.71089      15.88721
4     25   -20.79663     4.86930         0.93720       3.03035
5     30    49.01836    29.65350         3.02327      15.12665
ズームレンズ群倍率
群   始面    広角       中間       望遠
1      1    0.00000    0.00000    0.00000
2      6   -0.23468   -0.33801   -0.49598
3     13   -0.39182   -0.58274   -0.85438
4     25   23.06324   22.80348   22.45435
5     30    0.10107    0.10129    0.10152
以下に、各数値実施例に係るズームレンズ系について求めた各条件の対応値を示す。
【００７３】
【表２】
2017134304.tif 000005
【産業上の利用可能性】
【００７４】
本発明に係るズームレンズ系は、デジタルスチルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【００７５】
１００  レンズ交換式デジタルカメラシステム
１０１  カメラ本体
１０２  撮像素子
１０４  カメラマウント部
２０１  交換レンズ装置
２０２  ズームレンズ系
２０３  レンズ鏡筒
２０４  レンズマウント部
【図１】
2017134304.tif 000006
【図２】
2017134304.tif 000007
【図３】
2017134304.tif 000008
【図４】
2017134304.tif 000009
【図５】
2017134304.tif 000010
【図６】
2017134304.tif 000011
【図７】
2017134304.tif 000012
【図８】
2017134304.tif 000013
【図９】
2017134304.tif 000014
【図１０】
2017134304.tif 000015